(57)【要約】  本発明は、歯科において使用する咬合紙に関する。本発明は、支持体層を含み、その少なくとも一方の面上に、着色色素を含む少なくとも１つの着色層を有し、そして少なくとも１つの着色層上に、着色層の着色色素のための少なくとも１つの接着剤を含む層を有する。
2007519454.tif 000002
【特許請求の範囲】
【請求項１】
支持体層を含み、その少なくとも一方の面上に、着色色素を含む少なくとも１つの着色層を有する、歯科において使用する咬合紙であって、
その少なくとも１つの着色層上に、着色層の着色色素のための少なくとも１つの接着剤を含む層が存在することを特徴とする、咬合紙(Artikulationsfolie)。
【請求項２】
接着剤が少なくとも１つの着色層に存在することを特徴とする、請求項１に記載の咬合紙。
【請求項３】
接着剤はマイクロカプセル中に封入されることを特徴とする、請求項１又は２に記載の咬合紙。
【請求項４】
マイクロカプセルは、該マイクロカプセルにかかる圧力作用の結果として接着剤を放出するのに適していることを特徴とする、請求項３に記載の咬合紙。
【請求項５】
マイクロカプセルは、活性因子が作用した結果として接着剤を放出するのに適していることを特徴とする、請求項３又は４に記載の咬合紙。
【請求項６】
マイクロカプセルは、該マイクロカプセルのＵＶ照射の結果として接着剤を放出するのに適していることを特徴とする、請求項５に記載の咬合紙。
【請求項７】
マイクロカプセルは、該マイクロカプセルに熱を加えた結果として接着剤を放出するのに適していることを特徴とする、請求項５に記載の咬合紙。
【請求項８】
異なる色に着色された複数の着色層を有することを特徴とする、請求項１〜７のいずれかに記載の咬合紙。
【請求項９】
着色層は異なる層厚を有することを特徴とする、請求項８に記載の咬合紙。
【請求項１０】
最上部の着色層は、咀嚼部位／咬合部位の接触位置として許される高さに相当することを特徴とする、請求項８又は９に記載の咬合紙。
【請求項１１】
最上部の着色層の層厚は、約８μｍであることを特徴とする、請求項１０に記載の咬合紙。
【請求項１２】
着色層は、着色されたワックス着色層であることを特徴とする、請求項１〜１１のいずれかに記載の咬合紙。
【請求項１３】
支持体は、紙を含んで成る、又は紙から成ることを特徴とする、請求項１〜１２のいずれかに記載の咬合紙。
【発明の詳細な説明】
【技術分野】
【０００１】
本発明は、歯科の治療補助具の分野に関し、咀嚼部位／咬合部位の歯の接触位置をマークするための咬合治療補助具に関する。以下では、これを咬合紙(Artikulationsfolie)と呼ぶ。
【背景技術】
【０００２】
歯科学では、「咀嚼部位」とは、噛み合わせたときに互いに噛合する上歯列及び下歯列の歯を指す。これとは区別して、「咬合部位」とは、顎を軽く閉じた場合に互いに咬合する上歯列及び下歯列の歯を指す。いずれの場合も、上歯列及び下歯列の歯は、互いに個々の接触位置でしか接触しない、すなわち、全表面にわたっては接触しない。
【０００３】
歯科学では、虫歯により損傷した歯は、通常、金、セラミックス、アマルガム、又は合成材料から成る充填材で埋められる。もはや充填材を用いることができないほど歯が損傷している場合、アンレーと呼ばれるさらに広い補綴具で、部分冠又は全部冠を歯に被せる。
【０００４】
かかる歯科修復治療では、治療後に歯が再び適正に咬合することが重要である。すなわち、個々の接触位置が「高すぎる」と、筋緊張やその他の健康に悪影響をもたらす可能性があり、このような接触位置により咬合に悪影響を及ぼさないように、上歯列及び下歯列の歯は、顎を軽く閉じることによって又は筋力によって互いに押し当たる必要がある。換言すれば、咀嚼部位／咬合部位の接触位置は、ほぼ等しい圧力負荷で互いに接するべきである。本発明では、接触位置の「高さ」とは、歯根尖から基底への方向において歯根尖から接触位置までの距離を指す。
【０００５】
したがって、歯科医は、歯の修復治療後に一般的に咬合を調整し直す必要があるという問題に直面している。咬合を調整するために、歯科医は、柔軟性のある薄い咬合紙を使用する。この咬合紙は、従来の構成では、着色層が塗布されているプラスチック材料の支持体層から成る。着色層は、通常、例えば、着色色素を含む植物性カルナウバ蝋等のカラーワックスである。
【０００６】
実際の使用では、治療した歯を含む咀嚼部位／咬合部位の歯の間に咬合紙を挿入し、患者に咀嚼してもらうようにする。咀嚼している間、咬合紙の着色層の着色色素が接触位置によってこすれ落ち、その結果として歯に着いた色から、歯科医は、咀嚼部位／咬合部位の歯の接触位置がどこであるかを同定することができる。接触位置が高すぎる場合、すなわち咀嚼部位／咬合部位の適正な咬合が妨げられる場合、これらの接触位置は、適正な高さまで、すなわち最終的に患者が咬合は快適であると納得するまで削られる。
【０００７】
１つの欠点は、着色層の着色色素は、異なる材料には異なる程度で接着するということである。すなわち、着色色素は象牙質には比較的十分に付着するが、金及びセラミックスへはあまり付着しないことが当業者には既知である。そのため、金又はセラミックスから成る着色充填材、アンレー、部分冠等への付着能力は低い。
【発明の開示】
【発明が解決しようとする課題】
【０００８】
したがって、本発明の根本的な問題は、従来技術において知られている咬合紙に関する欠点を克服することである。
【課題を解決するための手段】
【０００９】
上記課題は、本発明において、主たる請求項の技術特徴に対応する咬合紙等の咬合治療補助具（以下、咬合紙と呼ぶ）によって解決される。本発明の有利な態様は、従たる請求項に示される。
【００１０】
本発明によれば、少なくとも一方の面に、少なくとも１つの着色色素を含有する少なくとも１つの着色層を有する咬合紙は、上記目的のために、少なくとも１つの着色層上に、その着色層の着色色素のための少なくとも１つの接着剤を含有する層を有する。その接着剤層に存在する接着剤により、金、セラミックス、合成材料又はアマルガム等、歯科治療に使用される材料への、着色層の着色色素の接着が改善される。換言すれば、歯科治療に使用される材料は、接着剤の使用により本発明の咬合紙を用いて、より容易に着色することができ、従って、咀嚼部位／咬合部位の接触位置をよりしっかりより確実な方法でマークすることができる。かかる構成の接着剤は、特に、少なくとも１つの着色層の着色色素と歯科治療に使用される材料との間に、力に基づく表面結合を与える接着剤として作用する。接着剤はまた、歯科治療に使用される材料への、着色層の個々の着色色素のみ又は全ての着色色素の接着を高めるように選択することができる。異なる咬合紙は、例えば着色される材料に応じて異なる色及び／又は接着剤を有しうる。
【００１１】
例えば、咀嚼している際に歯の接触位置により接着剤層が噛まれると、接着剤は着色色素と接触し、そして接触位置により着色層の着色色素がこすり落とされる。接着剤は、例えば、懸濁状態又は溶解状態で接着剤層に組み入れうる。
【００１２】
本発明の好適な態様では、着色層に接着剤層として積層される接着剤は、マイクロカプセル中に封入される。マイクロカプセルへの物質の封入は、当業者に周知の技術であり、本明細書に詳細に説明する必要はない。例えば、かかるマイクロカプセルは、エステルワックスを含有し、0.1〜1000μｍのサイズを有し、好ましくは２〜30μｍのサイズを有する。
【００１３】
マイクロカプセルの有利な態様では、マイクロカプセルは、活性因子が作用した結果としてのみ接着剤を放出するように形成される。好ましくは、接着剤は、接着剤を含有しているマイクロカプセルを噛みつぶすことによって放出される。これにより、咬合が生じる咀嚼部位／咬合部位の接触位置でのみ接着剤が放出されることが可能となる。同様に、好適な態様として、マイクロカプセルへのＵＶ照射後でのみ、接着剤がマイクロカプセルから放出されることも可能であり、これによって、接着剤の放出を咀嚼部位／咬合部位の領域に限定することができる。このように、著しい量では患者の健康状態に悪影響を及ぼす可能性のある、患者に投与する接着剤の総量を、最小限に維持することができる。
【００１４】
本発明の別の有利な態様では、咬合紙は、片面又は両面に、異なる色に着色された複数の着色層と、その着色層の１つに積層される少なくとも１つの接着剤層とを含む。有利な点として、異なる色に着色された複数の着色層を用いることによって、咬合に適した接触位置の高さに対する接触位置の相対的な高さを簡単に確認することができる。咬合紙が例えば異なる色の２つの着色層、例えば支持体材料上に赤色の第１着色層と、赤色の第１着色層上に緑色の第２着色層とを有する場合、咬合紙の使用後に、緑色に着色した接触位置と赤色に着色した接触位置とがあれば、歯科医は、赤色に着色した接触位置は、緑色に着色した接触位置よりも、咀嚼部位／咬合部位の対応する歯に対してより強く咬合接触していることを認識することができる。換言すれば、いずれの赤色に着色した接触位置も依然として、咬合に適した接触位置の高さに対して高すぎるので、適した咬合を得るために削る必要がある。歯科医はこの手順を繰り返して、赤色に着色した接触位置を連続的に削ることによって、咀嚼部位／咬合部位の接触位置の間にほぼ均一な圧力負荷を得ることができ、このことは、さらに本発明の咬合紙を用いて緑色に着色した接触位置だけが生じる場合に認識される。
【００１５】
別の態様として、本発明の咬合紙は、両面に異なる数の着色層及び/又は接着剤層を有してもよく、また接着剤層は、少なくとも一方の面の着色層に積層される。例えば、このような咬合紙は、一方の面に１つのみの着色層を有し、そして他方の面に複数の着色層を有してもよく、接着剤層は少なくとも一方の面の着色層に存在する。
【００１６】
しかしながら、本発明の咬合紙は、両面に１つずつのみの着色層を有し、接着剤層が一方又は双方の着色層に積層されることも可能である。
【００１７】
咬合紙が異なる色に着色された複数の色層を有する場合、接着剤層を１つの着色層にのみ積層してもよく、又は別個の接着剤層を複数の着色層のそれぞれに積層してもよい。複数の接着剤層がある場合、或る層の接着剤は、別の層の接着剤と異なってもよい。さらに、接着剤を、異なる色の複数の着色層の１又は複数の層に導入してもよい。接着剤を複数の着色層に導入する場合、例えば、着色層中の特定の着色色素に対して接着付与性を適合させるために、或る層の接着剤は別の層の接着剤と異なってもよい。
【００１８】
本発明では、複数の着色層が異なる層厚を有する場合が有利である。したがって、着色層の層厚が、支持体材料から最上部の色層に向かって薄くなっている場合、歯科医は、接触位置の適正な高さを非常に厳密に確定することができる。咬合紙に、例えば異なる色の３つの着色層、例えば、支持体層上に１〜20μｍの範囲の大きな層厚を有する赤色層、赤色層上に１〜10μｍの範囲の中間の層厚を有する緑色層、及び緑色層上に１〜10μｍの範囲の小さな層厚を有する黄色層が設けられている場合、接触位置の着色は、超過した高さが減るほど赤色から緑色、さらに黄色に変化する。
【００１９】
本発明に用いられる着色色素は、それ自体が咬合治療補助具に常用されている着色色素である。
【００２０】
さらに、最上部の着色層、すなわち支持体材料から最も離れている着色層が、咀嚼部位／咬合部位の接触位置として許される高さに設定される場合が特に有利である。換言すれば、咀嚼部位の接触位置が最上部の着色層のみによって均一に着色される場合、その咀嚼部位／咬合部位の接触位置の高さは、解剖学的に適当な咬合をもたらすために適した接触位置の高さとして許される測定値の範囲内である。例えば、かかる構成の最上部の着色層の層厚は５〜10μｍ、好ましくは７〜９μｍ、特に８μｍである。
【００２１】
本発明の咬合紙の着色層は、有利には着色ワックス層とすることができる。例として、植物性ワックス（例えばカルナウバ蝋、モンタンワックス）、動物性ワックス（例えば蜜蝋）、ミネラルワックス（例えばセレシン）、石油化学系ワックス（例えばパラフィンワックス、マイクロワックス）、及び化学修飾された硬蝋（例えばモンタン系エステルワックス、ホホバワックス）、合成ワックス（例えばポリエチレングリコールワックス）が挙げられる。
【００２２】
着色層の層厚は、例えば、着色層の材料に応じて決まり、層厚は0.1〜30μｍ、好ましくは１〜20μｍ、特に好ましくは１〜８μｍである。
【００２３】
接着剤は、例えば、天然樹脂（バルサム、ロジン、化石樹脂）、また、炭水化物（でんぷん、デキストリン、糖類）、タンパク質（アルブミン、カゼイン、ゼラチン）、ゴム（ラテックス、乾燥ラテックス、沈降ラテックス）、ワックス、及びその他の天然物質（蜜蝋、シェラック、アラビアガム）、又は合成接着剤（例えば、メチルセルロース、ポリビニルアルコール、ポリビニルピロリドン、ポリスチレン、ポリ塩化ビニル、ポリアクリレート、ポリメタクリレート、ポリ酢酸ビニル、ポリ酢酸ビニルポリエチレン混合物、ニトロセルロース、ポリクロロプレン、ゴム、ポリウレタン、メタクリレート、シアノアクリレート、ジアクリル酸エステル、エポキシ樹脂又はポリエステル）の群からのものでよい。
【００２４】
接着剤は、着色層の着色色素と、金、セラミックス、合成材料又はアマルガム等、歯科治療に用いられる材料との間に、力に基づく表面結合を与えることができる粘着性を有する。接着剤の層厚は、例えば0.1〜５μｍ、好ましくは２〜４μｍ、最も好ましくは３μｍである。複数の接着剤層がある場合、個々の接着剤層の層厚は異なってもよい。
【００２５】
咬合紙の支持体層は、例えば、ポリ塩化ビニル、ポリエチレン、ポリプロピレン、ＰＥＴ、又はシリコーンから成り、又はそれらを含んでなることができる。支持体層は、紙又は織布、編布、又は不織布から成り、又はそれらを含んで成ることもできる。後者の場合、好ましくは、支持体、特に紙、の細孔は、着色色素を含有する着色剤で含浸される。さらに、ユーザが相互に適合する材料を容易に同定するために、異なる接着剤を含有する咬合治療補助具のコーティングの色の特徴により識別機能（例えば、アマルガムには黄色、複合材には青色、セラミックスには緑色、金には黒色）が与えられる場合が有利である。
【００２６】
添付の図面を参照して、実施例に従って本発明をより詳細に説明する。
【発明を実施するための最良の形態】
【００２７】
図１は、本発明の咬合紙１の実施例の断面図である。咬合紙１は、ＰＶＣの支持体２を含み、この支持体２に、緑色に着色されたカルナウバ蝋から成るワックス着色層３が積層されている。ワックス着色層３の厚みは８μｍである。このワックス着色層３には、接着剤を含む層４が積層されている。接着剤層の厚みは３μｍである。
【図面の簡単な説明】
【００２８】
【図１】図１は、本発明の咬合紙の実施例の断面図である。
【図１】
2007519454.tif 000003
【国際調査報告】
2007519454.tif 000004
2007519454.tif 000005
2007519454.tif 000006
2007519454.tif 000007
2007519454.tif 000008
2007519454.tif 000009